(57)【要約】【課題】ユーザがテレビ受像機の方式を誤って入力した場合にも、簡単な操作により速やかにテレビ受像機を動作させ映像等を表示させることができる映像再生装置を提供することを目的とする。【解決手段】映像再生装置１５を、ＤＶＤに記録される映像を再生するディスク再生部１とビデオエンコーダ３とマイコン５と操作用リモコン１１を備える構成とする。ビデオエンコーダ３は、入力信号をプログレッシブ方式に基づく第一の出力信号とする第一の信号形成回路３ａと入力信号をインターレース方式に基づく第二の出力信号とする第二の信号形成回路３ｂを備えている。ユーザが映像再生装置１５に接続されるテレビ受像機１７の方式を誤ってプログレッシブ方式に設定した場合に、操作用リモコン１１によりディスク再生部１の動作を停止させる操作をすると、マイコン５がビデオエンコーダ３を入力信号を処理する回路を第一の信号形成回路３ａより第二の信号形成回路３ｂに切り替えるように制御する。【選択図】  図１
2004229191.tif 000002
【特許請求の範囲】
【請求項１】
記録媒体に記録された映像を再生して映像信号を出力する映像再生手段と、入力信号をプログレッシブ方式に基づく第一の出力信号に形成する第一の信号形成手段及び入力信号をインターレース方式に基づく第二の出力信号に形成する第二の信号形成手段を有する出力信号形成部と、前記映像再生手段を動作させる再生操作手段と、前記映像再生手段の動作を停止させる再生停止操作手段とを備え、
前記映像再生手段より出力された映像信号が前記出力信号形成部に入力され、該入力された映像信号が前記第一の信号形成手段により前記第一の出力信号とされ又は前記第二の信号形成手段により前記第二の出力信号とされる映像再生装置であって、
当該映像再生装置に接続されるテレビ受像機に前記第一の出力信号又は第二の出力信号のいずれか一方を出力し、
当該映像再生装置の動作を制御するマイコンと、
前記テレビ受像機の画面に操作メニューを表示させ、該操作メニューの表示に基づき、前記テレビ受像機がプログレッシブ方式であるかインターレース方式であるかを入力操作することにより、入力したテレビ受像機の方式に応じて前記出力信号形成部に入力された入力信号を前記第一の信号形成手段又は第二の信号形成手段のいずれかにより処理するか設定するための入力操作手段とを有し、
前記再生停止操作手段が操作されると、前記出力信号形成部の入力信号を処理する回路が前記第一の信号形成手段から前記第二の信号形成手段に切り替えられる映像再生装置。
【請求項２】
前記記録媒体がＤＶＤであり、前記映像再生手段がＤＶＤを再生するためのディスク再生手段である請求項１に記載の映像再生装置。
【発明の詳細な説明】
【０００１】
【発明の属する技術分野】
本発明は、映像再生装置に関する。
【０００２】
【従来の技術】
テレビ受像機には、プログレッシブ方式に基づくものとインターレース方式に基づくものがある。これらは、テレビ受像機の画面に映像等を出力して表示させる動作の方式が異なっている。
【０００３】
そして、各々の方式のテレビ受像機を動作させるための映像信号等の仕様も異なっており、テレビ受像機に適正に表示させるにはテレビ受像機の方式と映像信号等の仕様を対応させなければならない。
【０００４】
ところで、映像再生装置によると、該装置により記録媒体に記録された映像を再生し、該装置に接続されるテレビ受像機に映像を出力することができる。また、映像再生装置は、接続されるテレビ受像機の画面に操作メニューを表示させ、この操作メニューに基づき、映像再生装置やテレビ受像機を動作させる条件をユーザの操作によって入力し設定できるようにされている。
【０００５】
そして、映像再生装置には、前記テレビ受像機に表示される操作メニューに基づくユーザの操作によって、前記テレビ受像機の方式を入力し設定できるようにされているものがある。
【０００６】
そして、このユーザの操作によって設定された方式に応じて、テレビ受像機に出力する信号をプログレッシブ方式に対応させた信号とし、又はインターレース方式に対応させた信号としている。これにより、テレビ受像機の方式とテレビ受像機に入力する信号とを対応させ、テレビ受像機を適正に動作させるようにされている。
【０００７】
【発明が解決しようとする課題】
しかし、映像再生装置に接続されるテレビ受像機の方式と前記ユーザが設定した方式とが対応しない場合がある。即ち、ユーザがテレビ受像機の方式を誤って入力した場合である。
【０００８】
そして、テレビ受像機の方式が誤って設定されると、映像再生装置より出力される信号の仕様と実際に接続されているテレビ受像機の方式とが対応しないので、テレビ受像機を適正に動作させることができず、画面に表示させることができない。
【０００９】
そこで、本発明は、ユーザがテレビ受像機の方式を誤って入力した場合にも、簡単な操作により速やかにテレビ受像機を動作させ映像等を表示させることができる映像再生装置を提供することを目的とする。
【００１０】
【課題を解決するための手段】
上記課題を解決するため、本発明は、記録媒体に記録された映像を再生して映像信号を出力する映像再生手段と、入力信号をプログレッシブ方式に基づく第一の出力信号に形成する第一の信号形成手段及び入力信号をインターレース方式に基づく第二の出力信号に形成する第二の信号形成手段を有する出力信号形成部と、前記映像再生手段を動作させる再生操作手段と、前記映像再生手段の動作を停止させる再生停止操作手段とを備え、
前記映像再生手段より出力された映像信号が前記出力信号形成部に入力され、該入力された映像信号が前記第一の信号形成手段により前記第一の出力信号とされ又は前記第二の信号形成手段により前記第二の出力信号とされる映像再生装置であって、
当該映像再生装置に接続されるテレビ受像機に前記第一の出力信号又は第二の出力信号のいずれか一方を出力し、
当該映像再生装置の動作を制御するマイコンと、
前記テレビ受像機の画面に操作メニューを表示させ、該操作メニューの表示に基づき、前記テレビ受像機がプログレッシブ方式であるかインターレース方式であるかを入力操作することにより、入力したテレビ受像機の方式に応じて前記出力信号形成部に入力された入力信号を前記第一の信号形成手段又は第二の信号形成手段のいずれかにより処理するか設定するための入力操作手段とを有し、
前記再生停止操作手段が操作されると、前記出力信号形成部の入力信号を処理する回路が前記第一の信号形成手段から前記第二の信号形成手段に切り替えられる映像再生装置である（請求項１）。
【００１１】
本発明の映像再生装置によると、接続されるテレビ受像機がインターレース方式であるにもかかわらず、ユーザが誤ってプログレッシブ方式に設定する入力操作を行った場合に、前記再生停止操作手段を操作することにより、前記出力信号形成部による入力信号の処理を、一時的に第二の信号形成手段によって行うように切り替えることができる。
【００１２】
これにより、テレビ受像機の画面に操作メニューを表示させることができるので、ユーザは前記入力操作手段を操作することにより、テレビ受像機の方式を正しく設定し直すことができる。これにより、テレビ受像機を適正に動作させ、映像再生手段により再生した映像をテレビ受像機に表示させることができる。
【００１３】
このように、本発明によると、テレビ受像機の方式を誤って設定した場合に、簡単な操作によって速やかにテレビ受像機を動作させることができる。そして、テレビ受像機に操作メニューを表示させ、速やかにテレビ受像機の方式を正しく設定することにより、テレビ受像機を適正に動作させることができる。
【００１４】
また、前記記録媒体をＤＶＤとし、前記映像再生手段をＤＶＤを再生するためのディスク再生手段とすることができる（請求項２）。
【００１５】
この発明によると、ＤＶＤに記録される映像を再生し、この映像をテレビ受像機に表示させることができる
【００１６】
【発明の実施の形態】
以下、図１乃至図３に基づき、本発明の実施の形態について説明する。図１は、本発明の一実施形態である映像再生装置１５のブロック図である。図１に示される映像再生装置１５は、本体１０と操作用リモコン１１を備えている。また、映像再生装置１５の本体１０にはテレビ受像機１７が接続される。
【００１７】
図１に示される映像再生装置１５は、記録媒体としてのＤＶＤ（Ｄｉｇｉｔａｌ  Ｖｅｒｓａｔｉｌｅ  Ｄｉｓｋ（ディジタルバーサタイルディスク））に記録される映像を再生し、この映像をテレビ受像機１７の画面に表示させる装置である。
【００１８】
映像再生装置１５の本体１０は、ディスク再生部１とＭＰＥＧデコーダ２とビデオエンコーダ３とマイクロコンピュータ（以下、「マイコン」という）５を備えている。
【００１９】
ディスク再生部１は、ＤＶＤに記録される映像を再生して映像信号を出力する。このディスク再生部１は、ＤＶＤに記録される映像を再生するディスク再生手段にあたる。また、ディスク再生部１は、記録媒体に記録される映像を再生して映像信号を出力する映像再生手段にあたる。
【００２０】
ＭＰＥＧデコーダ２は、動画の圧縮された映像信号を解凍する。即ち、圧縮用の符号体系で表された映像信号を元々の映像信号に復調させる。ＭＰＥＧデコーダ２には、ディスク再生部１より出力された映像信号が入力され、この入力された映像信号を解凍して出力する。
【００２１】
ビデオエンコーダ３は、第一の信号形成回路３ａと第二の信号形成回路３ｂを備えている。第一の信号形成回路３ａは、ビデオエンコーダ３に入力された入力信号をプログレッシブ方式に基づく第一の出力信号に形成する。第一の信号形成回路３ａは、第一の信号形成手段にあたる。
【００２２】
第二の信号形成回路３ｂは、ビデオエンコーダ３に入力された入力信号をインターレース方式に基づく第二の出力信号に形成する。第二の信号形成回路３ｂは、第二の信号形成手段にあたる。
【００２３】
ビデオエンコーダ３に入力された入力信号を第一の信号形成回路３ａ又は第二の信号形成回路３ｂのいずれに入力して処理するかは、後に説明するマイコン５によって制御される。
【００２４】
ビデオエンコーダ３は、第一の出力信号又は第二の出力信号を出力するための信号出力端子３Ｖ、３Ｕ、３Ｙ、３Ｃ、３Ｓを備えている。プログレッシブ方式に基づく第一の出力信号は、信号出力端子３Ｖ、３Ｕ、３Ｙより出力される。インターレース方式に基づく第二の出力信号は、信号出力端子３Ｖ、３Ｕ、３Ｙ、３Ｃ、３Ｓより出力される。このビデオエンコーダ３の信号出力端子より出力された出力信号は後に説明するテレビ受像機１７に入力される。
【００２５】
ビデオエンコーダ３には、ＭＰＥＧデコーダ２より出力された映像信号が入力信号として入力される。そして、ビデオエンコーダ３に入力された映像信号が第一の信号形成回路３ａに入力され処理されると、第一の出力映像信号とされる。また、ビデオエンコーダ３に入力された映像信号が第二の信号形成回路３ｂに入力され処理されると、第二の出力映像信号とされる。第一の出力映像信号は第一の出力信号にあたり、第二の出力映像信号は第二の出力信号にあたる。
【００２６】
また、ビデオエンコーダ３には、後に説明するマイコン５より出力されるテレビ受像機１７の画面に操作メニューを表示するための操作メニュー表示データが入力信号として入力される。
【００２７】
そして、ビデオエンコーダ３に入力された前記操作メニュー表示データが第一の信号形成回路３ａに入力され処理されると、第一の操作メニュー表示信号とされる。また、ビデオエンコーダ３に入力された前記操作メニュー表示データが第二の信号形成回路３ｂに入力され処理されると、第二の操作メニュー表示信号とされる。第一の操作メニュー表示信号は第一の出力信号にあたり、第二の操作メニュー表示信号は第二の出力信号にあたる。
【００２８】
以上のビデオエンコーダ３は、ここに入力された入力信号を第一の信号形成回路３ａにより第一の出力信号に形成し又は第二の信号形成回路３ｂにより第二の出力信号に形成する出力信号形成部にあたる。
【００２９】
マイクロコンピュータ（以下、「マイコン」という）５は、映像再生装置１５の本体１０の動作を制御する。マイコン５は、図示しないＲＯＭ（読み出し専用メモリ）及びＲＡＭ（読み書き可能メモリ）を備えている。
【００３０】
ＲＯＭには、テレビ受像機１７の画面に操作メニューを表示するとともに、表示した操作メニューに基づきユーザの操作により入力された内容を読み込むための入力操作制御用のプログラムが格納されている。
【００３１】
テレビ受像機１７の画面に表示される操作メニューには、テレビ受像機１７の種類を入力するための項目がある。即ち、前記操作メニューには、テレビ受像機１７がプログレッシブ方式に基づくものであるか、インターレース方式に基づくものであるかを入力する項目がある。
【００３２】
そして、テレビ受像機１７の画面に表示された操作メニューに基づきプログレッシブ方式又はインターレース方式のいずれかをユーザが入力すると、この入力された方式は前記入力操作制御用のプログラムに読み込まれ、テレビ受像機１７の方式として設定される。
【００３３】
そして、マイコン５は、前記設定されたテレビ受像機１７の方式に応じてビデオエンコーダ３を制御し、前記二つの信号形成回路３ａ、３ｂのいずれか一方によりビデオエンコーダ３に入力された入力信号を処理するように制御する。
【００３４】
即ち、マイコン５は、テレビ受像機１７の方式としてプログレッシブ方式が設定されると、ビデオエンコーダ３に入力された入力信号を第一の信号形成回路３ａによって処理するように制御する。
【００３５】
一方、マイコン５は、テレビ受像機１７の方式としてインターレース方式が設定されると、ビデオエンコーダ３に入力された入力信号を第二の信号形成回路３ｂによって処理するように制御する。
【００３６】
図２は、テレビ受像機１７の画面に表示される操作メニューの一例である。図２には、操作メニューの項目として、「時計設定」、「予約録画」、「プログレッシブ出力」、「チャンネル設定」が示されている。
【００３７】
図２に示される操作メニューの項目のうち、「プログレッシブ出力」は、テレビ受像機１７の方式をプログレッシブ方式又はインターレース方式のいずれかに設定するための項目である。
【００３８】
図２に示される例では、操作用リモコン１１を操作し、画面に表示されるトグルスイッチにより、「プログレッシブ出力」の「ＯＮ（オン）」又は「ＯＦＦ（オフ）」のいずれかを選択して入力することにより、テレビ受像機１７の方式を設定できるようにされている。
【００３９】
この図２に示される操作メニューに基づき、ユーザが「プログレッシブ出力」の「ＯＮ（オン）」を選択して入力する操作を行うと、テレビ受像機１７の方式としてプログレッシブ方式を設定することができる。
【００４０】
一方、図２に示される操作メニューに基づき、「プログレッシブ出力」の「ＯＦＦ（オフ）」を選択して入力する操作を行うと、テレビ受像機１７の方式としてインターレース方式を設定することができる。
【００４１】
なお、図２には、操作する項目として「プログレッシブ出力」が選択され、「プログレッシブ出力」の「ＯＮ（オン）」が選択された状態が示されている。この状態より入力する操作を行うと、テレビ受像機１７の方式としてプログレッシブ方式が設定される。
【００４２】
また、マイコン５のＲＯＭには、映像再生制御プログラムが格納されている。映像再生制御プログラムは、この映像再生装置１５の動作を制御するためのマイコン５によって実行されるプログラムの一部である。ディスク再生部１により映像を再生する場合の映像再生装置１５の動作は、映像再生制御プログラムによって制御される。
【００４３】
そして、この映像再生制御プログラムを実行することにより、後に説明するように前記操作メニューに基づき設定されたテレビ受像機１７の方式に対して、このプログラムの手順に従って、ビデオエンコーダ３に入力された入力信号を処理する回路を二つの信号形成回路３ａと３ｂの間で一時的に切り替えることができる。
【００４４】
また、映像再生装置１５は、図１に示されるように操作用リモコン１１を備えている。操作用リモコン１１は、特に図示しない電源キー、再生キー、再生停止キー、操作メニュー表示キー、及び各種の入力操作キーを備えている。
【００４５】
前記電源キーは、映像再生装置１５を動作させる電源をオン（ＯＮ）、オフ（ＯＦＦ）するための操作キーである。前記再生キーは、ディスク再生部１を動作させ、ＤＶＤに記録される映像を再生するための操作キーである。この再生キーは再生操作手段にあたる。前記再生停止キーは、ディスク再生部１の動作を停止させ、映像の再生を中止させるための操作キーである。再生停止キーは再生停止操作手段にあたる。
【００４６】
また、前記操作メニュー表示キーは、テレビ受像機１７の画面に操作メニューを表示させるための操作キーである。そして、前記入力操作キーは、映像再生装置１５を動作させる各種の条件を入力するための操作キーである。
【００４７】
そして、操作メニュー表示キーを操作してテレビ受像機１７に操作メニューを表示させ、前記操作キーの一部を操作することにより、テレビ受像機１７の方式を前記プログレッシブ方式及びインターレース方式より選択して設定することができる。
【００４８】
映像再生装置１５は図示されない操作判別手段を備えており、ユーザが操作用リモコン１１を操作した内容は前記操作判別手段によって判別される。そして、前記操作判別手段は、操作用リモコン１１に対する操作の内容を判別すると、この操作の内容を表す信号をマイコン５に出力する。
【００４９】
これにより、マイコン５は、ユーザによってされた操作用リモコン１１に対する操作の内容を判別し、この操作の内容に応じて映像再生装置１５の動作を制御する。
【００５０】
テレビ受像機１７は、プログレッシブ方式に基づくもの及びインターレース方式に基づくもののいずれの一方を接続することもできる。テレビ受像機１７がプログレッシブ方式に基づくものであると、ディスク再生部１により再生したＤＶＤの映像をより高画質に出力させることができる。
【００５１】
このテレビ受像機１７について、プログレッシブ方式に基づくテレビ受像機１７にインターレース方式に基づく第二の出力信号を入力した場合には、テレビ受像機１７を適正に動作させ、テレビ受像機１７の画面に映像や文字を表示させることができる。
【００５２】
一方、インターレース方式に基づくテレビ受像機１７にプログレッシブ方式に基づく第一の出力信号を入力した場合には、テレビ受像機１７を適正に動作させることはできず、テレビ受像機１７の画面に映像や文字を表示させることはできない。
【００５３】
次に、以上に説明した映像再生装置１５の動作の例について、図３も参酌しつつ説明する。図３は、映像再生装置１５の動作の一部の例を表すフローチャートである。また、図３は、映像再生制御プログラムのフローチャートの一部を示している。
【００５４】
［動作例１］
動作例１として、映像再生装置１５にインターレース方式に基づくテレビ受像機１７を接続した場合について説明する。操作用リモコン１１を操作し、電源キーを操作して映像再生装置１５の電源オンする。
【００５５】
これにより、映像再生装置１５が動作を開始する。そして、マイコン５が動作を開始し、映像再生装置１５を制御するためのプログラムの実行が開始され、前記入力操作制御用のプログラム及び映像再生制御プログラムの実行が開始される。
【００５６】
次に、操作用リモコン１１の操作メニュー表示キーを操作し、テレビ受像機１７の画面に操作メニューを表示させる。そして、図２に示される操作メニューに基づき、ユーザが誤って「プログレッシブ出力」の「ＯＮ（オン）」を入力する操作を行う。これにより、テレビ受像機１７の方式としてプログレッシブ方式が設定される。
【００５７】
次に、操作用リモコン１１の再生キーを操作する。これにより、ディスク再生部１が動作する。そして、前記再生キーを操作することにより、図３にフローチャートが示される映像再生制御プログラムの実行が開始される（Ｓ１）。そして、プログレッシブ出力の設定がＯＮ（オン）であるか否か判断する（Ｓ２）。
【００５８】
プログレッシブ出力がオンに設定されていることを検出すると（Ｓ２、ＹＥＳ）、ビデオエンコーダ３は入力信号を第一の信号形成回路３ａにより処理するように制御される。これにより、ディスク再生部１により再生された映像信号が第一の信号形成回路３ａにより処理され、ビデオエンコーダ３はプログレッシブ方式の第一の出力映像信号を出力する（Ｓ３）。
【００５９】
次に、ユーザにより操作用リモコン１１の再生停止キーが操作されたか否かを判断する（Ｓ４）。ここで、テレビ受像機１７は、インターレース方式に基づくものであるので、第一の出力映像信号によっては画面に映像を表示することができない。また、この状態では、操作用リモコン１１の操作メニュー表示キーを操作しても、テレビ受像機１７の画面に操作メニューを表示させることができない。
【００６０】
そして、テレビ受像機１７に表示できないことにより、ユーザが操作用リモコン１１の再生停止キーを操作すると、再生停止キーによる入力が有ったことが検出される（Ｓ４、ＹＥＳ）。
【００６１】
これにより、ディスク再生部１の再生の動作が停止し（Ｓ５）、ビデオエンコーダ３がインターレース出力に切り替えられる（Ｓ６）。即ち、ビデオエンコーダ３は入力信号を処理する回路が第一の信号形成回路３ａより第二の信号形成回路３ｂに切り替えられるように制御される。これにより、ビデオエンコーダ３は第二の出力信号を出力し、第二の出力信号に基づいてテレビ受像機１７に表示させることができる。
【００６２】
そして、図３に図示されないユーザの操作により、図２に示される操作メニューの表示に基づく「プログレッシブ出力」を「ＯＦＦ（オフ）」する入力が行われ、テレビ受像機１７の方式としてインターレース方式が設定される。
【００６３】
そして、再生キーの入力が有ったか否かを判断する（Ｓ７）。ユーザが操作用リモコン１１の再生キーを操作したことにより、再生キーの入力が有ったことを検出すると（Ｓ７、ＹＥＳ）、Ｓ２に戻る。また、ユーザによる前記再生キーの操作によって、ディスク再生部１が再び動作する。
【００６４】
そして、プログレッシブ出力の設定がＯＮ（オン）であるか否か判断する（Ｓ２）。以上に説明したユーザの操作によってプログレッシブ出力はＯＦＦ（オフ）に設定されたので、プログレッシブ出力がＯＦＦ（オン）に設定されていることを検出し（Ｓ２、ＮＯ）、ビデオエンコーダ３は第二の信号形成回路３ｂにより入力信号を処理するように制御される。
【００６５】
これにより、ディスク再生部１により再生された映像信号が第二の信号形成回路３ｂにより処理され、ビデオエンコーダ３よりインターレース方式の第二の出力映像信号を出力する（Ｓ８）。これにより、ディスク再生部１によって再生された映像がテレビ受像機１７の画面に表示される。
【００６６】
一方、Ｓ７において、再生キーの入力が有ったと判断されない場合には（Ｓ７、ＮＯ）、この映像再生制御プログラムの実行を停止する（Ｓ９）。
【００６７】
［動作例２］
動作例２として、映像再生装置１５にプログレッシブ方式に基づくテレビ受像機１７を接続した場合について説明する。操作用リモコン１１を操作し、電源キーを操作して映像再生装置１５の電源オンする。
【００６８】
これにより、映像再生装置１５が動作を開始する。そして、マイコン５が動作を開始し、映像再生装置１５を制御するためのプログラムの実行が開始され、前記入力操作制御用のプログラム及び映像再生制御プログラムの実行が開始される。
【００６９】
次に、操作用リモコン１１の操作メニュー表示キーを操作し、テレビ受像機１７の画面に操作メニューを表示させる。そして、図２に示される操作メニューに基づき、「プログレッシブ出力」の「ＯＮ（オン）」を選択し、入力する操作を行う。これにより、テレビ受像機１７の方式としてプログレッシブ方式が設定される。
【００７０】
次に、操作用リモコン１１の再生キーを操作する。これにより、ディスク再生部１が動作する。そして、前記再生キーを操作することにより、図３にフローチャートが示される映像再生制御プログラムの実行が開始される（Ｓ１）。そして、プログレッシブ出力の設定がＯＮ（オン）であるか否か判断する（Ｓ２）。
【００７１】
プログレッシブ出力がオンに設定されていることを検出すると（Ｓ２、ＹＥＳ）、ビデオエンコーダ部３は入力信号を第一の信号形成回路３ａにより処理するように制御される。
【００７２】
これにより、ディスク再生部１により再生された映像信号は第一の信号形成回路３ａにより処理され、ビデオエンコーダ部３はプログレッシブ方式の第一の出力映像信号を出力する（Ｓ３）。これにより、ディスク再生部１によって再生された映像がテレビ受像機１７の画面に表示される。
【００７３】
次に、ユーザにより操作用リモコン１１の再生停止キーが操作されたか否か判断する（Ｓ４）。そして、ユーザが操作用リモコン１１の再生停止キーを操作すると、再生停止キーによる入力が有ったことが検出される（Ｓ４、ＹＥＳ）。
【００７４】
これにより、ディスク再生部１の再生の動作が停止し（Ｓ５）、ビデオエンコーダ部３がインターレース出力に切り替えられる（Ｓ６）。即ち、ビデオエンコーダ部３の入力信号を処理する回路が第二の信号形成回路３ｂに切り替えられる。
【００７５】
ここで、ビデオエンコーダ３が前記インターレース出力に切り替えられても、ビデオエンコーダ部３より出力される第二の出力信号に基づきテレビ受像機１７に表示させることはできる。
【００７６】
次に、再生キーの入力が有ったか否かを判断する（Ｓ７）。ユーザにより操作用リモコン１１の再生キーが操作され、再生キーの入力が有ったことを検出すると（Ｓ７、ＹＥＳ）、Ｓ２に戻る。また、ユーザによる前記再生キーの操作によってディスク再生部１が再び動作する。
【００７７】
そして、プログレッシブ出力の設定がＯＮ（オン）であるか否か判断する（Ｓ２）。操作メニューに基づくユーザの最初の操作によってプログレッシブ出力の設定がＯＮ（オン）にされた状態であると、プログレッシブ出力がＯＮ（オン）に設定されていることを検出し（Ｓ２、ＹＥＳ）、ビデオエンコーダ部３は入力信号を第一の信号形成回路３ａにより処理するように制御される。
【００７８】
一方、Ｓ７において、再生キーの入力が有ったことが検出されない場合には（Ｓ７、ＮＯ）、この映像再生制御プログラムの実行を停止する（Ｓ９）。
【００７９】
以上に説明した映像再生装置１５によると、接続されるテレビ受像機１７がインターレース方式のものであるにもかかわらず、誤ってプログレッシブ方式に設定した場合に、簡単な操作によって映像再生装置１５よりテレビ受像機１７に出力する出力信号をプログレッシブ方式からインターレース方式に一時的に切り替えることができる。
【００８０】
これにより、テレビ受像機１７の画面に操作メニューを表示させることができ、操作メニューに基づきテレビ受像機１７の方式を正しく設定し直すことができる。これにより、速やかにテレビ受像機１７を動作させることができ、ディスク再生部１により再生された映像を表示させることができる。
【００８１】
以上の説明では、映像再生装置１５としてＤＶＤの映像を再生する装置の例により説明した。映像再生装置１５として、ＤＶＤを記録媒体とするものを用いると、より画質の高い映像を再生できるので好ましい。
【００８２】
なお、本発明を実施するにあたり、映像再生装置をＤＶＤ以外の記録媒体を用いるものによって構成することもできる。そして、ＤＶＤ以外の記録媒体を用いる場合、ディジタル信号により映像を記録する記録媒体を用いることがより好ましい。これにより、画質の高い映像を再生することができるからである。
【００８３】
そして、ＤＶＤ以外の記録媒体を用いる場合、映像再生装置には、前記ディスク再生部１に代えて各々の記録媒体に対応した映像再生手段が設けられる。
【００８４】
また、以上の説明では、出力信号形成部３を第一の信号形成手段及び第二の信号形成手段として機能させるにあたり、第一の信号形成回路３ａと第二の信号形成回路３ｂの二つの信号形成回路を設ける例を挙げた。
【００８５】
本発明を実施するにあたり、出力信号形成部３に第一の出力信号及び第二の出力信号に形成するための信号形成回路を一つ設け、この一つの信号形成回路を第一の信号形成手段又は第二の信号形成手段として機能させるようにマイコン５が制御するようにしてもよい。
【００８６】
【発明の効果】
本発明の映像再生装置によると、ユーザが誤ってテレビ受像機の方式をプログレッシブ方式に設定する操作を行った場合に、簡単な操作によってテレビ受像機に出力する出力信号の方式を一時的にインターレース方式に切り替えることができる。
【００８７】
これにより、テレビ受像機の方式を入力するための操作メニューをテレビ受像機に表示させることができ、テレビ受像機の方式を正しく入力し直すことができる。これにより、速やかにテレビ受像機を動作させることができ、映像再生装置によって再生された映像をテレビ受像機に出力させることができる。
【図面の簡単な説明】
【図１】本発明の一実施形態である映像再生装置のブロック図である。
【図２】テレビ受像機に表示される操作メニューの一例を示す図である。
【図３】映像再生装置を動作させる手順の一例のフローチャートである。
【符号の説明】
１      ディスク再生部
２      ＭＰＥＧデコーダ
３      ビデオエンコーダ
３ａ  第一の信号形成回路
３ｂ  第二の信号形成回路
３Ｖ、３Ｕ、３Ｙ、３Ｃ、３Ｓ    信号出力端子
５    マイコン
１０    映像再生装置の本体
１１    操作用リモコン
１５    映像再生装置
１７    テレビ受像機
【図１】
2004229191.tif 000003
【図２】
2004229191.tif 000004
【図３】
2004229191.tif 000005